(57)【要約】【課題】釣竿の穂先に直接に釣糸を結び付けて釣竿を手で持って魚の当たりを待つ釣り形態、および、釣竿にリールを取り付けて置き竿状態で魚の当たりを待つ釣り形態の両方をそれぞれの特有の利点を生かしつつ選択的に実現できる万能型の釣竿を提供することを目的とする。【解決手段】本発明の釣竿１は、竿杆から成る釣竿本体１ａと、釣竿本体１ａを支持するために突出する脚部１０とを備える。脚部１０は、釣竿本体１ａの重心Ｇの位置かこれよりも釣竿本体１ａの元部側に設けられる。【選択図】図１
2012115151.tif 000002
【特許請求の範囲】
【請求項１】
釣竿本体と、該釣竿本体を支持するために突出する脚部とを備え、前記脚部が釣竿本体の重心位置かこれよりも釣竿本体の元部側に設けられることを特徴とする釣竿。
【請求項２】
釣竿の重量の少なくとも１／２以上の重量のリールが前記脚部よりも釣竿本体の元部側に取り付けられるときに、釣竿本体の穂先側が立ち上がった状態で釣竿本体が前記脚部によって支持されるようになっていることを特徴とする請求項１に記載の釣竿。
【請求項３】
釣糸を結合でき或いは挿通できるリング部が前記釣竿本体の穂先に設けられることを特徴とする請求項１または請求項２に記載の釣竿。
【請求項４】
リールを取り付けるためのリール取り付け部が前記脚部よりも釣竿本体の元部側に設けられることを特徴とする請求項１ないし請求項３のいずれか１項に記載の釣竿。
【請求項５】
前記リール取り付け部は、前記脚部の突出方向と反対の方向に面して設けられることを特徴とする請求項１ないし請求項４のいずれか１項に記載の釣竿。
【発明の詳細な説明】
【技術分野】
【０００１】
本発明は、釣竿に関し、特に、２種類の釣り形態を選択的に実現できる万能型の釣竿に関する。
【背景技術】
【０００２】
従来から、魚釣りには、釣竿の穂先に直接に釣糸を結び付けて釣竿を手で持って魚の当たりを待ち、当たりを感じて直ぐに合わせるようにする釣り形態と、釣竿にリールを取り付けて該釣竿を三脚などの竿掛けや堤防に支持させた置き竿状態で魚の当たりを待つ釣り形態とがある。
【０００３】
前者の釣り形態は、釣り人が釣竿を通して直接に魚の当たりを感じとることができ、素早く合わせることができるため、小さな当たりにも対応して釣ることができるとともに、仕掛けや釣り道具も簡単であることから初心者でも簡単に魚釣りを楽しむことができるという特有の利点を有する。
【０００４】
一方、釣竿にリールを取り付けて釣竿を三脚などに支持させた置き竿状態（穂先側が立ち上がった支持状態）で釣る後者の釣り形態は、釣竿を手で持たずに済むため非常に楽であり、また、魚に餌を食い込ませて確実に針掛かりさせて逃がさずに釣ることができるという特有の利点を有する。
【０００５】
このように、前者の釣り形態と後者の釣り形態とでは、それぞれ特有の利点があり、したがって、それに合わせてそれぞれ異なるタイプの釣竿が用いられている。すなわち、一般に前者の釣り形態では、穂先に釣糸結合部が存在するだけでリール取り付け部や釣糸ガイドが無い釣竿が用いられ、一方、後者の釣り形態では、釣糸ガイドやリール取り付け部を有する釣竿や、例えば特許文献１に開示されるような釣竿を支持するスタンドを具備する釣竿が用いられる。
【先行技術文献】
【特許文献】
【０００６】
【特許文献１】特開平１０−１３６８５６号
【発明の概要】
【発明が解決しようとする課題】
【０００７】
ところで、前者の釣り形態で用いられる釣竿、すなわち、穂先に釣糸結合部が存在するだけでリール取り付け部や釣糸ガイドが無い釣竿は、手持ちで釣りを行なうが、重さを感じて置き竿にしてしまうと当たりがとりにくくなってしまう。また、置いた釣竿は転がり易く、それ自体で穂先側が立ち上がった置き竿状態を実現することはできず、したがって、後者の釣り形態の前述した特有の利点を得ることが難しい。一方、後者の釣り形態で用いられる釣竿は、一般に軽量ではなく、釣り人が釣竿を通して直接に魚の当たりを感じとることに適しておらず、したがって、前者の釣り形態の前述した特有の利点を得ることが難しい。例えば特許文献１に開示される釣竿は、三角状のスタンドが一体的に取着されて成る釣竿にリールを取り付けて釣竿を地面に置いたときに釣竿の根元が地面に接地して安定するようになっているが、構造が大掛かりであるため、スタンドを使用した接地状態で魚の当たりを待つしかなく、前者の釣り形態の利点を得ることはできない。
【０００８】
本発明は、前記事情に着目してなされたものであり、その目的とするところは、釣竿の穂先に直接に釣糸を付けて釣竿を手で持って魚の当たりを待つ釣り形態で釣竿を楽に支持でき、当たりが取りやすいとともに、釣竿にリールを取り付けた場合に置き竿状態で魚の当たりを待つ釣り形態にすることもできる、両方の釣り形態をそれぞれの特有の利点を生かしつつ選択的に実現できる万能型の釣竿を提供することにある。
【課題を解決するための手段】
【０００９】
前記課題を解決するために、本発明の釣竿は、釣竿本体と、該釣竿本体を支持するために突出する脚部とを備え、前記脚部が釣竿本体の重心位置かこれよりも釣竿本体の元部側に設けられることを特徴とする。
【００１０】
このような構成によれば、釣竿本体を支持するために突出する脚部を備えるため、釣竿にリールを取り付けて該釣竿を支持させた置き竿状態で魚の当たりを待つ釣り形態（第２の釣り形態）に特有の利点、すなわち、釣竿を脚部が支持するため、手を添えるように釣竿を支えるだけで済み、非常に楽であり、また、魚に餌を食い込ませて確実に針掛かりさせて逃がさずに釣ることができるという利点を得ることが可能になるとともに、脚部が釣竿の重心位置よりも釣竿本体の元部側に設けられるため、リールが取り付けられずに脚部により支持される支持状態では、釣竿の重心が脚部よりも穂先側に位置し、したがって、脚部の支点を中心に穂先を上下させて魚を誘う動きを置き竿状態で容易に行なうことができる。つまり、釣竿の穂先に直接に釣糸を付けて釣竿を手で持って魚の当たりを待ち、当たりを感じて直ぐに合わせるようにする釣り形態（第１の釣り形態）と同様の釣り形態を置き竿状態で実現することができ、そのため、当該釣り形態に特有の利点、すなわち、釣り人が釣竿を通して直接に魚の当たりを感じとって素早く合わせることができ、小さな当たりにも対応して釣ることができるとともに、仕掛けや釣り道具も簡単であることから初心者でも簡単に魚釣りを楽しむことができるという利点を得ることができる。そして、何よりも、本発明の釣竿に特有の利点は、リールを取り付けるだけで、第１の釣り形態から第２の釣り形態へと（リールを取り外せば、逆に、第２の釣り形態から第１の釣り形態へと）容易に変換することができるという点にある。そのため、本発明の好ましい実施形態では、釣竿の重量の少なくとも１／２以上の重量のリールが脚部よりも釣竿本体の元部側に取り付けられるときに、釣竿本体の穂先側が立ち上がった状態で釣竿本体が脚部によって支持されるようになっている。このように、本発明によれば、第１および第２の釣り形態の両方をそれぞれの特有の利点を生かしつつ選択的に実現できる万能型の釣竿を提供することができる。
【００１１】
なお、上記構成において、「釣竿本体」とは、リールが取り付けられていない状態での脚部を除く竿杆自体（竿杆に設けられるグリップやリールシート等を含む）を意味する。また、「釣竿本体の重心」とは、釣竿を延ばして釣りを行なう使用状態にしたときの重心で、例えば、継ぎ釣竿の場合、竿杆を継ぎ合わせた状態での重心、また、振り出し竿の場合、竿杆を完全に引き延ばした状態での重心を意味する。
【００１２】
また、上記構成では、釣糸を結合でき或いは挿通できるリング部が釣竿本体の穂先に設けられることが好ましい。また、リールを取り付けるためのリール取り付け部が脚部よりも釣竿本体の元部側に設けられることが好ましい。この場合、リール取り付け部は、脚部の突出方向と反対の方向に面して設けられてもよい。
【発明の効果】
【００１３】
本発明によれば、釣竿の穂先に直接に釣糸を付けて釣竿を手で持って魚の当たりを待つ釣り形態で釣竿を楽に支持でき、当たりが取りやすいとともに、釣竿にリールを取り付けた場合に置き竿状態で魚の当たりを待つ釣り形態にすることもできる、両方の釣り形態をそれぞれの特有の利点を生かしつつ選択的に実現できる万能型の釣竿を提供することができる。
【図面の簡単な説明】
【００１４】
【図１】第１の釣り形態で使用される本発明の第１の実施形態に係る釣竿の全体側面図（穂先の拡大図を含む）である。
【図２】第２の釣り形態で使用される本発明の第１の実施形態に係る釣竿の全体側面図である。
【図３】第１の釣り形態で使用される本発明の第１の実施形態に係る釣竿の全体側面図（脚部の拡大図を含む）である。
【図４】第１の釣り形態で使用される本発明の第２の実施形態に係る釣竿の全体側面図（穂先の拡大図を含む）である。
【図５】第２の釣り形態で使用される本発明の第２の実施形態に係る釣竿の全体側面図（穂先の拡大図を含む）である。
【図６】図４および図５の釣竿の脚部の拡大側面図である。
【図７】図６の脚部を釣竿の元部側から見た拡大背面図である。
【図８】回動規制体の変形例としての係合部材を備える釣竿の元部側の側面図である。
【図９】図８の係合部材の拡大断面図である。
【発明を実施するための形態】
【００１５】
以下、添付図面を参照して、本発明に係る釣竿の実施形態について説明する。
【００１６】
図１ないし図３は本発明の第１の実施形態を示している。図１に示されるように、本実施形態の釣竿１は、例えば磯や防波堤で使用される釣糸ガイドが無い振り出し竿（外ガイドが無い延べ竿）であり、穂先側の複数の竿杆が穂先側と反対側の元部側となる元竿の竿杆内に順次収納可能に形成されている。具体的には、釣竿１は、穂先（竿杆）２と、中間竿（竿杆）４Ａ，４Ｂと、元竿（竿杆）５とから成る釣竿本体１ａを備えており、穂先２の先端には、釣糸６を結合でき（図１の拡大図参照）或いは挿通できる（図２の拡大図参照）リング部３が設けられる。また、元竿５には釣用リール９を装着可能なリール取り付け部７が設けられており、その後端側には握持部としてのハンドル８が設けられている。
【００１７】
また、図１および図２に示されるように、元竿５には、釣竿１の自立構造を実現するための脚部１０が設けられている。脚部１０は、後述するように釣竿本体１ａを支持するために突出するようになっており、釣竿本体１ａの重心Ｇの位置よりも釣竿本体１ａの元部側（元竿５側）に設けられる。ここで、重心Ｇの位置とは、釣竿本体１ａの竿杆が図１および図２に示されるように完全に引き延ばされた状態での釣竿本体１ａの重心Ｇの位置のことである。なお、この釣竿１は、脚部１０が設けられた状態でも釣竿１の重心が脚部１０を取り付けた位置よりも穂先側にある。
【００１８】
また、本実施形態では、一対のリング状のリール脚保持部７ａ，７ａが遊嵌されたリール取り付け部７が設けられ、この保持部７ａ，７ａにてリール９を挟持することによりリール９を釣竿１の前後位置および周方向の向き（上向き、下向きなど）を選択して取り付けられるようになっているため、図２に示されるように、リール９を上向きにした状態で釣竿１を支持できるようになっている。すなわち、本実施形態では、リール９を釣竿１（元竿５）の周方向のいずれの方向にも取り付け可能だが、少なくともリール取り付け部７が脚部１０の突出方向と反対の方向に面して設けられるようになっている。また、この場合、リール取り付け部７は、脚部１０よりも釣竿本体１ａの元部側（元竿５側）に設けられており、釣竿１の重量の少なくとも１／２以上の重量のリール９がリール取り付け部７に取り付けられるときに、釣竿本体１ａの穂先２側が立ち上がり、元部が接地した状態で釣竿本体１ａが脚部１０によって支持されるようになっている（図２参照）。すなわち、釣竿１の重量の少なくとも１／２以上の重量のリール９がリール取り付け部７に取り付けられるときに、釣竿本体１ａの重心Ｇが脚部１０よりも元竿５側へ移動するようになっている。
【００１９】
脚部１０は、図３に明確に示されるように、筒状の基体１４と、突出位置と収納位置との間で回動可能に基体１４に対して取り付けられる左右一対の支脚１２，１２（一方の支脚は図示せず）とを有している。具体的には、基体１４は、元竿５の先端側に取り付けられており、左右に突出する回動軸１６を有する。左右それぞれの回動軸１６には、回動可能な支脚１２，１２が抜け止め（回動軸１６の先端が大径になっているため、支脚１２，１２が抜け止めされる）されて支持されている（図３の拡大図には、支脚１２，１２の収納状態が二点鎖線で、突出状態が実線でそれぞれ示されている・・・支脚１２，１２が釣竿１に沿った収納位置からリール取り付け部７側（リール９側）と反対側で回動するように脚部１０が釣竿１に対して設けられている）。基体１４と支脚１２，１２とにはそれぞれ、支脚１２，１２の突出状態と収納状態とをそれぞれ保持する回動規制体としての凹凸部６３ａ，６３ｂが設けられている。本実施形態では、例えば、突出位置および収納位置のそれぞれに対応して基体１４の左右の両側面に凸部６３ａが設けられ、また、基体１４の側面と対向する支脚１２の側面部位に凸部６３ａと係脱自在に係合可能な凹部６３ｂが設けられる。
【００２０】
なお、凹凸部６３ａ，６３ｂの係脱は、それが形成される材料の可撓性によってなされることが好ましい。なお、回動軸１６は、その先端（中心軸）が元竿の後端を向くように傾斜して設けられており、したがって、支脚１２，１２を突出させると支脚１２，１２が左右に開き、一方、支脚１２，１２を収納すると該支脚が釣竿１に沿うようになる。また、本実施形態では、釣竿１の元部を地面５０に置いたときに釣竿１が安定して転がらないように、脚部１０が突出する側に対応する元部、例えば元竿５の手元端に取り付けられる尻栓６０の側面部位に、平面状の接地部６０ａが形成されている。
【００２１】
また、脚部１０には、支脚１２，１２を突出状態（左右に開く方向）へと付勢する付勢体１９が設けられている。本実施形態において、この付勢体１９は、バネ部材で、具体的には回動軸１６の外周に巻回装着されるコイルバネであり、各支脚１２を回動軸１６の先端へ向けて付勢している。
【００２２】
以上説明したように、本実施形態の釣竿１によれば、釣竿本体１ａを地面５０に対して支持するために突出する脚部１０を備えるため、釣竿１にリール９を取り付けて釣竿１を支持させた置き竿状態（釣竿を地面５０に置いた状態）で魚の当たりを待つ釣り形態（図２に示される第２の釣り形態）に特有の利点、すなわち、釣竿１を手で持たずに済むため非常に楽であり、また、魚に餌を食い込ませて確実に針掛かりさせて逃がさずに釣ることができるという利点を得ることが可能になるとともに、脚部１０が釣竿本体１ａの重心Ｇの位置よりも釣竿本体１ａの元部側に設けられるため、リール９が取り付けられずに脚部１０により支持される支持状態（図１および図３の状態）では、釣竿本体１ａの重心Ｇが脚部１０よりも穂先２側に位置し、したがって、脚部１０の支点を中心に穂先２を上下させて魚を誘う動き（例えば、穂先２を水に浸けて釣糸６が水中５１にある状態（図１に二点鎖線で示される状態）と穂先２を水面から持ち上げた状態（図１に実線で示される状態）との間での上下動）を釣竿に手を添えるように持つだけの置き竿と同じような状態で容易に行なうことができる。つまり、釣竿１の穂先２（リング部３）に直接に釣糸６を結び付けて釣竿１を手で持って魚の当たりを待ち、当たりを感じて直ぐに合わせるようにする釣り形態（第１の釣り形態・・・図１および図３）と同様の釣り形態を置き竿状態で実現することができ、そのため、当該釣り形態に特有の利点、すなわち、重心Ｇが脚部１０よりも穂先側にあるため、釣竿１の元部側が脚部１０を支点にして上方へ押し上げられるようにバランスし、釣竿１の元部側のハンドル８握持する手に押し当てられることになることから、釣り人が釣竿１を通して直接に魚の当たりを感じとって素早く合わせることができ、小さな当たりにも対応して釣ることができるとともに、仕掛けや釣り道具も簡単であることから初心者でも簡単に魚釣りを楽しむことができるという利点を得ることができる。
【００２３】
また、この釣竿１は、図２のように、リール９を取り付けて釣りをすることができる。この場合、釣糸は穂先２のリング部３に挿通される。釣竿１の重心Ｇは、釣竿１の少なくとも１／２以上の重量のリール９を取り付けることで脚部１０を設けた部位よりも元部側となり、そのため、釣竿１の元部を地面５０に置いたときに脚部１０によって釣竿１の穂先２側を立ち上げて支持することが可能となる。釣竿１の１／２以上の重量のリールは、釣竿１に対し通常使用するバランスのとれた重さのリールであって、また、確実に脚部１０を設けた釣竿１にリールを取り付けると、重心Ｇが脚部１０の取り付け位置よりも元部側になるようにできる。また、釣竿１に取り付けるリールの重量は、釣竿の５倍までが釣りをするときの操作性がよく、好ましい。
【００２４】
このように、本実施形態の釣竿１では、リール９を取り付けるだけで、第１の釣り形態から第２の釣り形態へと（リール９を取り外せば、逆に、第２の釣り形態から第１の釣り形態へと）容易に変換することができる。
【００２５】
また、脚部１０が釣竿本体１ａの重心Ｇの位置に設けられていてもよく、この場合でも、穂先２に取り付けた釣糸６と仕掛けが垂下しているため、この重さで穂先側が下方へ引かれることとなり、図１の例と同様の作用効果を奏することとなる。また、このような場合でも、釣竿１の自重の１／２以上の重量のリールを取り付けると、重心Ｇは脚部１０よりも元部側となる。
【００２６】
なお、穂先に釣糸取り付け部が設けられていれば、その構造はリング部３に限らず、また、リール９からの釣糸が通過する経由点となっていればよく、リングを延ばして管状に形成したものも含む。
【００２７】
図４〜図７は本発明の第２の実施形態を示している。図４および図５に示されるように、本実施形態の釣竿１Ａは、穂先２を有する先竿（竿杆）４と元竿（竿杆）５とから成る釣竿本体１ａを備えており、これらの竿杆にはそれぞれ穂先も含めて必要な数の釣糸ガイド（リング部）３Ａが設けられている。また、元竿５には釣用リール９を装着可能なリールシート（リール取り付け部）７Ａが設けられており、その後端側には握持部としてのハンドル８が設けられている。
【００２８】
また、本実施形態の釣竿１Ａの脚部１０Ａも、第１の実施形態と同様に、釣竿本体１ａの重心Ｇ（竿杆が完全に引き延ばされた状態での釣竿本体１ａの重心Ｇ）の位置よりも釣竿本体１ａの元部側（元竿５側）に設けられる。具体的に、脚部１０Ａは、図６および図７に示されるように、元竿（竿杆）５に一体的に固定される基体としての釣竿装着部１４Ａと、釣竿装着部１４Ａに回動可能に支持される一対の支脚１２，１２とから成り、支脚１２，１２は、以下で詳しく説明するように、釣竿１Ａの竿杆から外方へ突出される位置（図８に二点鎖線で示される突出位置）と、竿杆に沿って添設される（釣竿に沿った）位置（図８に実線で示される位置；倒伏状態または収納状態）との間で回動できるようになっている。
【００２９】
より具体的には、脚部１０Ａの釣竿装着部１４Ａは、元竿５を上下から挟み込むことにより釣竿１Ａに一体に取り付いており、図６および図７に示されるように、上側挟持体１１と下側挟持体１３との間で元竿５を挟持する。上側挟持体１１および下側挟持体１３の挟持状態は、これらの挟持体１１，１３をネジ部材１５によって互いに結合することにより釣竿１に着脱自在に取り付けたり、あるいは、挟持体１１，１３同士を接着結合することにより保持される。これにより、脚部１０Ａ全体が竿杆の長手方向へ移動することなく且つ竿杆に対して回動することなく釣竿１Ａに一体的に取り付けられる。
【００３０】
脚部１０Ａの基体としての釣竿装着部１４Ａから延びる支脚１２，１２は、左右一対形成されており、下側挟持体１３と一体に形成されて左右に延びる回動軸１６に対して回動可能に枢着されている（図７参照）。この場合、回動軸１６は、その中心軸Ｏ（および、その先端）が上方（図７参照）および後方を向くように傾斜している。したがって、一対の支脚１２，１２は、図８に実線で示される収納状態から図８に二点鎖線で示される突出状態へと突出すると、その先端が互いに離れるようにそれぞれ左右方向に開き（支脚１２，１２の先端は、収納（倒伏）状態よりも突出状態の方が左右に広がる）、逆に収納状態へと回動すると、釣竿の左右側面に沿うようになる。
【００３１】
なお、図７に明確に示されるように、脚部１０Ａには、支脚１２，１２を突出状態（左右に開く方向）へと付勢する付勢体１９Ａが設けられている。本実施形態において、この付勢体１９Ａは、バネ部材で、具体的には回動軸１６の外周に巻回装着されるコイルバネであり、各支脚１２を回動軸１６の先端へ向けて付勢している。そのため、回動軸１６の各先端には、付勢される支脚１２の回動軸１６からの抜けを防止するために抜け止め部材１７が設けられている。
【００３２】
また、本実施形態では、支脚１２，１２の収納状態からの回動を規制する回動規制体が脚部１０Ａの基体である釣竿装着部１４Ａに設けられている。また、特に、本実施形態では、支脚１２，１２の突出状態を保持する、すなわち、所定の突出位置からの支脚１２，１２の更なる突出回動を規制する第２の回動規制体も釣竿装着部１４Ａに設けられている。具体的には、支脚１２，１２の収納状態からの回動を規制する第１の回動規制体は、釣竿装着部１４Ａの下側挟持体１３から下方に延びる延出部３９の両側で左右に向けて突出する係合突部３２によって形成される。この係合突部３２は、収納状態の支脚１２，１２を下側から支持してその収納状態を保持する（図６の二点鎖線参照）。一方、支脚１２，１２の突出状態を保持する第２の回動規制体は、釣竿装着部１４Ａの下側挟持体１３に設けられ且つ支脚１２，１２の所定の突出位置で支脚１２，１２と当接する当接面３０として形成される。なお、本実施形態において、支脚１２，１２は、係合突部３２を乗り越えて収納状態と突出状態との間で移行するようになっている。そのため、係合突部３２が弾性変形可能に形成され、あるいは、付勢体１９Ａの付勢力に抗して支脚１２，１２が偏移することにより係合突部３２を乗り越えても良い。
【００３３】
このように、本実施形態の釣竿１Ａにおいても、釣竿本体１ａを地面５０に対して支持するために突出する脚部１０Ａを備えるとともに、脚部１０Ａが釣竿本体１ａの重心Ｇの位置よりも釣竿本体１ａの元部側に設けられるため、図４のように、脚部１０Ａで釣竿１Ａを支持し、グリップ８に手を添えるようにして持つだけでよく、この状態で釣竿１Ａを上下動させて魚を誘うと、元部側が脚部１０Ａを支点として上方へ押し上げられ、ハンドル８が釣竿１Ａを握持する手に押し当てられることとなり、容易に当たりを感じ取ることができる。また、図５のようにリール９を取り付け、釣糸ガイド（リング部）３に釣糸６を挿通して、釣竿１Ａの元部（ハンドル８の手元側端部）を地面５０に置いて穂先２側を立ち上げて支持することが可能になっているため、釣竿１にリール９を取り付けて釣竿１を支持させた置き竿状態（釣竿を地面５０に置いた状態）で魚の当たりを待つ釣り形態（図５に示される第２の釣り形態）に特有の前述した利点と、釣竿１の穂先２の釣糸ガイド（リング部）３に直接に釣糸６を結び付けて釣竿１を手で持って魚の当たりを待ち、当たりを感じて直ぐに合わせるようにする釣り形態（図４に示される第１の釣り形態）に特有の前述した利点とを得ることができる。なお、第２の実施形態においても、脚部１０Ａが釣竿本体１Ａの重心Ｇの位置に設けられてもよい。
【００３４】
図８および図９は前述した回動規制体の変形例を示している。この変形例では、支脚１２，１２を釣竿１Ａに沿った位置に保持するための回動規制体の構成が第２の実施形態と異なる。すなわち、本変形例の回動規制体は係合部材２０として釣竿１Ａ側に設けられるとともに、回動規制体（係合部材２０）による回動規制をスライドカバー操作体８２によって解除できるようになっている。
【００３５】
具体的には、係合部材２０は、ハンドル８の前方側であってリールシート７Ａの前端近傍の元竿５に設けられており、図９に明確に示されるように、元竿５の外周に嵌着固定される取付筒体８１と、取付筒体８１の上側に一体に突設された突設部８９に設けられる係脱機構とによって構成される。前記係脱機構は、突設部８９に形成された軸孔８７（釣竿１Ａの長手方向に延びている）内で進退可能な軸部８２ａを有する円筒状のスライドカバー操作体８２と、軸孔８７内に設けられ且つ軸部８２ａを軸孔８７から突出させる方向（カバー操作体８２を支脚１２，１２と係合させる方向）に付勢する付勢部材（本実施形態では、バネ）８５とを含んでいる。なお、スライドカバー操作体８２の内孔８２ｂは、支脚１２，１２を受け入れ挿入できる内径に設定されている。
【００３６】
したがって、この構成では、図８および図９に示されるようにスライドカバー操作体８２によって支脚１２，１２を上側から支持してその収納状態を保持することができる（図８の実線および図９の二点鎖線参照）。すなわち、例えばリール９を下向きにした通常の釣り態勢（図８および図９参照）では、付勢体１９Ａの付勢力により支脚１２，１２が（釣竿１Ａから突出される位置へ向けて）上向きに回動しようとするが、その回動は、支脚１２，１２がスライドカバー操作体８２の内孔８２ｂ内に挿入されて係合されることにより阻止される。すなわち、釣竿１Ａに沿った支脚１２，１２の収納状態が保持される。一方、図９に矢印で示されるようにリール９を握持した手１００の例えば親指１００ｃでスライドカバー操作体８２を後方（釣竿の軸方向）に引き寄せると、スライドカバー操作体８２と支脚１２，１２との係合状態を解除することができ、解除された支脚１２，１２は、付勢体１９Ａの付勢作用により自動的に左右に開いて突出する（図８および図９の釣り態勢では、支脚１２，１２が上向きに回動する）。なお、スライドカバー操作体８２の取り付け位置は、リールを把持する手の指で操作できる位置であることが好ましいが、そのような位置に設置されていない場合にはスライドカバー操作体８２を他方の手で操作すれば良い。
【００３７】
このように、回動規制体は、脚部１０Ａ側ではなく、釣竿１Ａ側に設けることもできる。
【００３８】
以上、本発明の様々な実施形態を説明してきたが、本発明はこれらの実施形態に限定されず、その要旨を逸脱しない範囲で種々変形して実施できることは言うまでもない。例えば、係合部材、脚部の形状は前述した実施形態のそれに限定されず、他の形状を有することができる。また、支脚は２本に限らず、３本以上であっても良い。
【符号の説明】
【００３９】
１  釣竿
１ａ  釣竿本体
２  穂先
３  リング部
７，７Ａ  リール取り付け部
９  リール
１０，１０Ａ  脚部
１２  支脚
Ｇ  重心
【図１】
2012115151.tif 000003
【図２】
2012115151.tif 000004
【図３】
2012115151.tif 000005
【図４】
2012115151.tif 000006
【図５】
2012115151.tif 000007
【図６】
2012115151.tif 000008
【図７】
2012115151.tif 000009
【図８】
2012115151.tif 000010
【図９】
2012115151.tif 000011